(57)【要約】【課題】包装されている吸収性物品の品質が高いと使用者に感じさせることができるパッケージを提供する。【解決手段】実施形態にかかるパッケージ１０は、おむつ１００を包装する袋状の基層１１と、基層１１に設けられインクによって情報が表示された第１被覆層１４と、第１被覆層１４よりも表面積が大きく、基層１１に設けられた第２被覆層１２と、を有している。【選択図】図１
2020196483.tif 000002
【特許請求の範囲】
【請求項１】
吸収性物品を包装する袋状の基層と、
前記基層に設けられインクによって情報が表示された第１被覆層と、
前記第１被覆層よりも表面積が大きく、前記基層に設けられた第２被覆層と、を有する、パッケージ。
【請求項２】
前記第２被覆層は、不透明度が７５％以上である、請求項１に記載のパッケージ。
【請求項３】
前記基層の正面の面積の５０％以上に、白色の前記第２被覆層が設けられている、請求項１又は２に記載のパッケージ。
【請求項４】
前記第２被覆層は、マット材を含んでいる、請求項１乃至３のいずれか１項に記載のパッケージ。
【発明の詳細な説明】
【技術分野】
【０００１】
本発明は、パッケージに関する。
【背景技術】
【０００２】
従来から、外装体によって吸収性物品が包装されている。特許文献１において、吸収性物品と、その吸収性物品を包装している外装体には、使用者が吸収性物品の仕様を確認するための情報が表示されている。
【先行技術文献】
【特許文献】
【０００３】
【特許文献１】特開２０１１−１１１１６５号公報
【発明の概要】
【発明が解決しようとする課題】
【０００４】
ところで、吸収性物品がパッケージに包装されている状態において、そのパッケージに包装されている吸収性物品の品質が高いと使用者に感じさせることが好ましい。
【０００５】
本発明の目的は、包装されている吸収性物品の品質が高いと使用者に感じさせることができるパッケージを提供することである。
【課題を解決するための手段】
【０００６】
本発明のパッケージは、吸収性物品を包装する袋状の基層と、基層に設けられインクによって情報が表示された第１被覆層と、第１被覆層よりも表面積が大きく、基層に設けられた第２被覆層と、を有している。
【発明の効果】
【０００７】
本発明のパッケージによれば、包装されている吸収性物品の品質が高いと使用者に感じさせることができる。
【図面の簡単な説明】
【０００８】
【図１】実施形態にかかるパッケージ１０の斜視図である。
【図２】パッケージ１０の左側面の部分の断面図である。
【発明を実施するための形態】
【０００９】
実施形態にかかるパッケージ１０について図１及び図２を参照しながら説明する。図１は、実施形態にかかるパッケージ１０の斜視図である。図２は、パッケージ１０の左側面の部分の断面図である。
【００１０】
パッケージ１０には、図１に示すように、複数のおむつ１００（吸収性物品）が包装されている。尚、パッケージ１０によって包装する吸収性物品は、おむつ１００を想定しているが、ナプキン等としてもよい。パッケージ１０を構成する基層１１、第２被覆層１２、表示層１３及び第１被覆層１４について説明する。
【００１１】
基層１１は、袋状に形成され、おむつ１００を包装する層である。基層１１は、複数のおむつ１００を収納する。基層１１は、例えば、ポリアミド、ポリエステル、ポリブチレンテレフタレート又はポリエチレンテレフタレート等からなる。
【００１２】
第２被覆層１２は、基層１１の外表面側に設けられ、マット印刷によって光を散乱させる凹凸が形成され紫外光及び可視光等に耐光性を備えた層である。第２被覆層１２は、基層１１の正面１１ａ、右側面１１ｂ、左側面１１ｃ及び天面１１ｄに設けられている。第２被覆層１２は、基層１１の正面１１ａにおいて、後述する第１被覆層１４よりも表面積が大きい。右側面１１ｂ、左側面１１ｃ及び天面１１ｄは、おむつ１００の表示部１００ａを覆う位置に相当する。おむつ１００は、両面が右側面１１ｂと左側面１１ｃの間に挟まれるように配置され、かつ、折り目が天面１１ｄに対向した状態で、パッケージ１０に包装されている。第２被覆層１２は、基層１１の外表面側に加えて、基層１１の内表面側に設けてもよい。第２被覆層１２は、樹脂１２ｍに粒状のマット剤１２ｎが含有されて構成されている。樹脂１２ｍは、例えば、アクリル系樹脂、エポキシ系樹脂、ウレタン系樹脂、ポリオレフィン系樹脂、フッ素系樹脂又はフェノキシ系樹脂等からなる。マット剤１２ｎは、例えば、シリカ、アルミナ、酸化カルシウム、炭酸カルシウム、硫酸カルシウム、ケイ酸カルシウム又はカーボンブラック等からなる。
【００１３】
表示層１３は、例えば、基層１１の右側面１１ｂの下方に設けられ、おむつ１００に関する情報がインクによって印刷された層である。情報は、例えば、パッケージ１０に包装されているおむつ１００のサイズや枚数である。表示層１３は、例えば、カーボンブラック、ジアミン、ポリオール、硬化剤及び有機溶媒等を含有してなるインク組成物が、グラビア印刷法等によって、基層１１の外表面側に塗布されて形成されている。有機溶媒は、例えば、トルエン等からなり、印刷後に揮発する。硬化剤は、例えば、イソシアネート等からなる。
【００１４】
第１被覆層１４は、基層１１の正面１１ａに設けられ、インクによって所定の情報が表示されている。所定の情報は、例えば、おむつ１００の商品名である。第２被覆層１２は、不透明度が７５％以上である。不透明度に関しては、ＸＹＺ表色系のＹ値（視感反射率−明るさ）を測定して確認した。簡易分光色差計は、日本電色工業株式会社製の型番ＮＦ３３３を使用した。白バック、黒バックでの測定をそれぞれ行い、白バックでのＹ値に対する黒バックでのＹ値を算出した。光源はＣ光源として、視野角は２°とした。この値が小さいほど、背景の影響を受け易く、隠ぺい性が低いといえる。透けにくさの指標に関して、おむつ１００の白地部分を基準として、着色部の△Ｅ値を測定し、△Ｅ１を得た。その後、おむつ１００の上にフィルムを載置して、△Ｅ値を測定し、△Ｅ２を得た。△Ｅ１−△Ｅ２の値が小さいほど、透け難い。△Ｅ２の値が１０以下の場合、パッケージ１０の視認性は阻害されない。基層１１の正面１１ａの面積の５０％以上に、白色の第２被覆層１２が設けられている。面積率の測定方法に関して、パッケージ１０をスキャナで画像として取得し、その画像を公知の画像処理ソフトを用いて二値化して粒径を測定した。画像処理ソフトには、Ｍｅｄｉａ  Ｃｙｂｅｒｎｅｔｉｃｓ社製の商品名Ｉｍａｇｅ−Ｐｒｏ  Ｐｌｕｓを用いた。白色は、Ｌ＊ａ＊ｂ＊表色系におけるＬ＊値が、９０以上と定義した。
【００１５】
実施形態にかかるパッケージ１０の作用効果について説明する。
【００１６】
パッケージ１０は、おむつ１００を包装する袋状の基層１１と、基層１１に設けられインクによって情報が表示された第１被覆層１４と、第１被覆層１４よりも表面積が大きく、基層１１に設けられた第２被覆層１２と、を有している。このような構成によれば、パッケージ１０の内部のおむつ１０がパッケージ１０から透けて使用者に視認されることを、第２被覆層１２によって抑制できる。この結果、パッケージ１０に包装されているおむつ１００の品質が高いと使用者に感じさせることができる。
【００１７】
第２被覆層１２は、不透明度が７５％以上である。このような構成によれば、不透明度、すなわち、隠ぺい性を高めて、おむつ１００の表示部１００ａがパッケージ１０から透けて使用者に視認されることを抑制できる。これにより、パッケージ１０の清潔感や識別性を維持することができる。ここで、おむつ１００の使用時における操作性（おむつ１００の前後方向やテープの止める位置の分かり易さ）を高めるために、表示部１００ａを相対的に濃い色によって構成できる。
【００１８】
基層１１の正面１１ａの面積の５０％以上に、白色の第２被覆層１２が設けられている。このような構成によれば、上記と同様に、隠ぺい性を高める面積を十分に確保して、おむつ１００の表示部１００ａがパッケージ１０から透けて使用者に視認されることを抑制し、パッケージ１０の清潔感や識別性を維持することができる。
【００１９】
第２被覆層１２は、マット材を含んでいる。このような構成によれば、パッケージ１０を透過する光をマット材によって散乱させて減衰させることによって、おむつ１００の表示部１００ａがパッケージ１０から透けて使用者に視認されることを抑制できる。
【００２０】
本発明を実施するに当たり、上記の実施形態は、一例であり、具体的な態様を種々に変更して実施できる。
【符号の説明】
【００２１】
１０…パッケージ、１１…基層、１１ａ…正面、１１ｂ…右側面、１１ｃ…左側面、
１１ｄ…天面、１２…第２被覆層、１２ｍ…樹脂、１２ｎ…マット剤、１３…表示層、１４…第１被覆層、１００…おむつ（吸収性物品）、１００ａ…表示部
【図１】
2020196483.tif 000003
【図２】
2020196483.tif 000004